(57)【要約】【課題】  被写体の３次元画像データの作成を短時間で行うのを可能にする。【解決手段】  証明写真撮影装置１の撮影ボックス５の正面、左側面、右側面及び天井面に、４個のカメラ１１〜１４を配置すると共に、撮影ボックス５の正面に３Ｄスキャナ１５を配置する。そして、３Ｄスキャナ１５により光の明暗パターンが被写体の表面上に形成された状態において、カメラ１１〜１４により被写体を同時撮影すると共に、光の明暗パターンが被写体の表面上に成されていない状態において、カメラ１１〜１４により被写体となる人を同時撮影する。このようにして得られる２次元画像データに基づいて、被写体の３次元画像データを作成する。【選択図】図１
2007033264.tif 000002
【特許請求の範囲】
【請求項１】
被写体の周囲に配置された複数の撮影手段と、
被写体の表面上の位置を特定するための光の明暗パターンを被写体の表面上に形成するパターン形成手段とを備えており、
前記パターン形成手段により光の明暗パターンが被写体の表面上に形成された状態での前記複数の撮影手段による被写体の同時撮影、及び、前記パターン形成手段により光の明暗パターンが被写体の表面上に形成されていない状態での前記複数の撮影手段による被写体の同時撮影が行われることによって、被写体の３次元画像データを作成するための画像データが取得されることを特徴とする証明写真撮影装置。
【請求項２】
前記パターン形成手段は、所定間隔おきに配列された複数のライン状の光の明暗パターンを被写体の表面上に形成することを特徴とする請求項１に記載の証明写真撮影装置。
【請求項３】
光の明暗パターンを被写体の表面上に形成するパターン形成ステップと、
前記パターン形成ステップで光の明暗パターンが被写体の表面上に形成された状態において、複数の撮影手段によって被写体を同時撮影する第１の撮影ステップと、
光の明暗パターンが被写体の表面上に形成されていない状態において、複数の撮影手段によって被写体を同時撮影する第２の撮影ステップとを備えていることを特徴とする証明写真撮影方法。
【請求項４】
前記パターン形成ステップでは、所定間隔おきに配列された複数のライン状の光の明暗パターンが被写体の表面上に形成されることを特徴とする請求項３に記載の証明写真撮影装置。
【発明の詳細な説明】
【技術分野】
【０００１】
本発明は、被写体を撮影することにより得られる画像データに基づいて３次元画像データを作成するための画像データを取得可能な証明写真撮影装置及び証明写真撮影方法に関するものである。
【背景技術】
【０００２】
証明写真撮影装置としては、１台のカメラだけが用いられるのが一般的である。そして、この証明写真撮影装置において、立体写真が作成されることもある。つまり、１台のカメラを被写体の周囲を移動させて、複数方向から被写体を撮影することにより得られる画像データに基づいて、３次元画像データが得られる。この場合には、カメラを移動させて複数回の撮影を行う必要があるので、被写体の撮影時間が長くなる。また、人が被写体であって、複数回の撮影が行われている途中で被写体が動いた場合には、同じ状態における被写体を複数方向から撮影することができなくなるという問題が発生する。
【０００３】
このような問題を解消するためには、複数のカメラを被写体を囲むように配置し、それらのカメラによって被写体を同時に撮影することが考えられる。特許文献１には、被写体を囲む複数のカメラによって被写体を複数方向から撮影することにより得られる２次元画像データに基づいて、３次元画像データを作成することが記載されている。
【特許文献１】特開２００３−２５６７８６号公報（図３４）
【発明の開示】
【発明が解決しようとする課題】
【０００４】
しかしながら、単に被写体を複数方向から撮影して得られる２次元画像データに基づいて３次元画像データを作成する場合には、３次元画像データの作成に著しく長時間が必要になる。これは、複数の２次元画像データのそれぞれにおいて、被写体上の同じ位置のデータの再構成が非常に煩雑になるからである。
【０００５】
そこで、本発明の目的は、被写体の３次元画像データの作成を短時間で行うことができる証明写真撮影装置及び証明写真撮影方法を提供することである。
【課題を解決するための手段および発明の効果】
【０００６】
本発明の証明写真撮影装置は、被写体の周囲に配置された複数の撮影手段と、被写体の表面上の位置を特定するための光の明暗パターンを被写体の表面上に形成するパターン形成手段とを備えており、前記パターン形成手段により光の明暗パターンが被写体の表面上に形成された状態での前記複数の撮影手段による被写体の同時撮影、及び、前記パターン形成手段により光の明暗パターンが被写体の表面上に形成されていない状態での前記複数の撮影手段による被写体の同時撮影が行われることによって、被写体の３次元画像データを作成するための画像データが取得されるものである。
【０００７】
本発明の証明写真撮影方法は、光の明暗パターンを被写体の表面上に形成するパターン形成ステップと、前記パターン形成ステップで光の明暗パターンが被写体の表面上に形成された状態において、複数の撮影手段によって被写体を同時撮影する第１の撮影ステップと、光の明暗パターンが被写体の表面上に形成されていない状態において、複数の撮影手段によって被写体を同時撮影する第２の撮影ステップとを備えている。
【０００８】
この構成によると、光の明暗パターンが被写体の表面上に形成された状態及び形成されていない状態で、複数の撮影手段によって被写体が同時撮影される。そのため、複数の撮影手段により得られる複数の２次元画像データのそれぞれにおいて、被写体上の同じ位置のデータの再構成が容易になる。従って、被写体の３次元画像データの作成を短時間で行うことが可能になる。
【０００９】
本発明の証明写真撮影装置において、前記パターン形成手段は、所定間隔おきに配列された複数のライン状の光の明暗パターンを被写体の表面上に形成してもよい。
【００１０】
本発明の証明写真撮影方法において、前記パターン形成ステップでは、所定間隔おきに配列された複数のライン状の光の明暗パターンが被写体の表面上に形成されてもよい。
【００１１】
この構成によると、複数の撮影手段により得られる複数の２次元画像データのそれぞれにおいて、被写体上の同じ位置のデータの再構成が特に容易になる。
【発明を実施するための最良の形態】
【００１２】
以下、本発明の好適な実施の形態について、図面を参照しつつ説明する。図１は、本発明の実施の形態に係る証明写真撮影装置の概略構成を示す図である。
【００１３】
図１に示す証明写真撮影装置１は、箱型の撮影ボックス５を有している。撮影ボックス５の内部には、被写体となる人が座る椅子６と、被写体を撮影するための４個のカメラ１１〜１４と、３Ｄスキャナ１５とが設けられている。カメラ１１〜１４は、ＣＣＤカメラであり、カメラ１１は撮影ボックス５の正面に配置され、カメラ１２は撮影ボックス５の左側面に配置され、カメラ１３は撮影ボックス５の右側面に配置され、カメラ１４は撮影ボックス５の天井面に配置されている。
【００１４】
カメラ１１〜１４では、図２に示すように、被写体を互いに異なる角度から撮影することができる。ここで、図２では、カメラ１１〜１３の被写体に対する撮影方向が矢印で図示されており、天井面に配置されたカメラ１４の被写体に対する位置が黒丸で図示されている。つまり、カメラ１１は被写体を正面から撮影し、カメラ１２は被写体を左斜め前方から撮影し、カメラ１３は被写体を右斜め前方から撮影し、カメラ１４は被写体を上斜め前方から撮影する。
【００１５】
３Ｄスキャナ１５は、撮影ボックス５の正面に配置されている。３Ｄスキャナ１５は、上下方向に延在し且つ可視光を射出する射出部１６を有している。３Ｄスキャナ１５は、被写体に向かって、射出部１６から可視光を射出することによって、光の明暗パターンを被写体の表面上に形成することができる。
【００１６】
ここで、図３には、３Ｄスキャナ１５により光の明暗パターンが被写体の表面上に形成されていない状態において、カメラ１１〜１４により被写体となる人が撮影された場合の撮影画像が図示されている。図３（ａ）はカメラ１１の撮影画像であり、図３（ｂ）はカメラ１２の撮影画像であり、図３（ｃ）はカメラ１３の撮影画像であり、図３（ｄ）はカメラ１４の撮影画像である。
【００１７】
また、図４には、３Ｄスキャナ１５により光の明暗パターンが被写体の表面上に形成された状態において、カメラ１１〜１４により被写体となる人が撮影された場合の撮影画像が図示されている。図４（ａ）はカメラ１１の撮影画像であり、図４（ｂ）はカメラ１２の撮影画像であり、図４（ｃ）はカメラ１３の撮影画像であり、図４（ｄ）はカメラ１４の撮影画像である。
【００１８】
本実施の形態では、３Ｄスキャナ１５は、図４に示すように、射出部１６から光を射出することによって、所定間隔おきに配列された上下方向に延在する複数のライン状の光の明暗パターンを被写体の表面上に形成する。図４では、明暗パターンのなかで光のラインが実線で図示されている。つまり、図４の実線間の白い部分は実際には暗いラインとなる。
【００１９】
そして、複数の光のラインは、互いに異なる波長の可視光で形成されている。そのため、３Ｄスキャナ１５により光の明暗パターンが被写体の表面上に形成された状態において、カメラ１１〜１４の撮影画像では、複数の光のラインは互いに異なる色に見えるように撮影される。従って、複数の光のラインは容易に識別可能である。
【００２０】
このように、証明写真撮影装置１では、３Ｄスキャナ１５により光の明暗パターンが被写体の表面上に形成された状態において、カメラ１１〜１４により被写体の同時撮影が行われ、その後、３Ｄスキャナ１５により光の明暗パターンが被写体の表面上に形成されていない状態において、カメラ１１〜１４により被写体の同時撮影が行われる。従って、図３及び図４に示すように、カメラ１１〜１４により互いに異なる角度から撮影された被写体の撮影画像が取得される。そして、図３及び図４に示す複数の２次元画像データに基づいて、被写体の３次元画像データが作成される。
【００２１】
以上説明したように、本実施の形態に係る証明写真撮影装置１では、光の明暗パターンが被写体の表面上に形成された状態及び形成されていない状態で、カメラ１１〜１４によって被写体が同時撮影されることにより、３次元画像データを作成するための２次元画像データが取得される。そのため、カメラ１１〜１４により得られる複数の２次元画像データのそれぞれにおいて、被写体上の同じ位置のデータの再構成が容易になる。従って、被写体の３次元画像データの作成を短時間で行うことが可能になる。また、カメラ１１〜１４での被写体の撮影は同時に行われるので、被写体が人のように動くものである場合でも、ぶれなく撮影可能である。
【００２２】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、所定間隔おきに配列された上下方向に延在する複数のライン状の光の明暗パターンが被写体の表面上に形成されているが、被写体の表面上に形成される光の明暗パターンは、被写体上の同じ位置のデータの再構成が容易になる範囲であれば変更してもよい。従って、光の明暗パターンは、例えば所定間隔おきに配列された水平方向に延在する複数のライン状の光の明暗パターンであってもよいし、所定間隔おきに配列された上下方向及び水平方向にそれぞれ延在する格子状の光の明暗パターンであってもよい。また、光の明暗パターンは、所定間隔おきに配列されている必要はないし、ライン状以外の光の明暗パターンであってもよい。
【００２３】
また、上述の実施の形態では、カメラ１１〜１４は撮影ボックス５の正面、左側面、右側面及び天井面に配置されており、被写体が正面、左斜め前方、右斜め前方及び上斜め前方から撮影されているが、カメラの数及び配置（被写体の撮影方向）は変更してもよい。従って、例えば撮影ボックス５の正面、左側面、右側面、天井面、背面及び底面の少なくとも２面にカメラが１個ずつ配置されていてもよいし、撮影ボックス５の正面、左側面、右側面、天井面、背面及び底面のいずれかの面にカメラが複数配置されていてもよい。また、被写体は正面、左斜め前方、右斜め前方及び上斜め前方以外の方向から撮影されてもよく、例えば背面、左斜め後方、右斜め後方、上斜め後方などから被写体が撮影されてもよい。
【００２４】
また、上述の実施の形態では、３Ｄスキャナ１５は、互いに異なる波長の可視光により互いに異なる色に見える複数の光のラインを形成しているが、同じ波長の可視光により同じ色に見える複数の光のラインが形成されてもよい。また、３Ｄスキャナは、赤外光を射出することにより光の明暗パターンを形成してもよい。
【図面の簡単な説明】
【００２５】
【図１】本発明の実施の形態に係る証明写真撮影装置の概略構成を示す図である。
【図２】複数のカメラの被写体に対する撮影方向を示す図である。
【図３】光の明暗パターンが被写体の表面上に形成されていない状態において、複数のカメラにより被写体となる人が撮影された場合の撮影画像を示す図である。
【図４】光の明暗パターンが被写体の表面上に形成された状態において、複数のカメラにより被写体となる人が撮影された場合の撮影画像を示す図である。
【符号の説明】
【００２６】
１  証明写真撮影装置
１１〜１４  カメラ（撮影手段）
１５  ３Ｄスキャナ（パターン形成手段）
【図１】
2007033264.tif 000003
【図２】
2007033264.tif 000004
【図３】
2007033264.tif 000005
【図４】
2007033264.tif 000006